(57)【要約】【課題】消費電力を削減しつつ、コストを抑えた光ディスク再生装置等を提供する。【解決手段】スピンドルモータ１１３は、光ディスク１１４を回転させる。ピックアップ１０１は、所定の範囲の回転数で光ディスク１１４に記憶されたデータを読み取る。メモリ１０７は、ピックアップ１０１により光ディスク１１４から読み取られたデータを記憶する。ショックプルーフ制御部１０６は、メモリ１０７に記憶されたデータを出力し、出力されたデータをメモリ１０７から削除する。マイコン部１０９は、メモリ１０７に記憶されているデータの容量に従って、スピンドルモータ１１３に、光ディスク１１４を強制的に回転させる状態と、光ディスク１１４を慣性で自由回転させる状態と、を切り替える。【選択図】図１
2012064276.tif 000002
【特許請求の範囲】
【請求項１】
光ディスクを回転させる駆動部と、
所定の範囲の回転数で光ディスクに記憶されたデータを読み取る読取部と、
前記読取部により光ディスクから読み取られたデータを記憶する記憶部と、
前記記憶部に記憶されたデータを出力し、出力されたデータを前記記憶部から削除するデータ制御部と、
前記記憶部に記憶されているデータの容量に従って、前記駆動部に、光ディスクを回転駆動する状態と、光ディスクを慣性で自由回転させる状態と、を切り替える駆動制御部と、
を備えることを特徴とする光ディスク再生装置。
【請求項２】
前記記憶部に記憶されているデータが第１の閾値以上であるか否かを判別する第１の判別部、
を更に備え、
前記駆動制御部は、前記第１の判別部により前記記憶部に記憶されているデータが第１の閾値以上であると判別された場合、前記駆動部に、光ディスクを慣性で自由回転させる、
ことを特徴とする請求項１に記載の光ディスク再生装置。
【請求項３】
前記第１の閾値は、前記記憶部の容量である、
ことを特徴とする請求項２に記載の光ディスク再生装置。
【請求項４】
前記記憶部に記憶されているデータが、第２の閾値以下であるか否かを判別する第２の判別部、
を更に備え、
前記駆動制御部は、前記第２の判別部により前記記憶部に記憶されているデータが第２の閾値以下であると判別された場合、前記駆動部に、光ディスクを回転駆動させる、
ことを特徴とする請求項１乃至３のいずれか１項に記載の光ディスク再生装置。
【請求項５】
前記駆動部が光ディスクを回転駆動する時間を計時する計時部と、
前記計時部により計時された時間が所定の閾値以上であるか否かを判別する時間判別部と、
を更に備え、
前記駆動制御部は、前記計時部により計時された時間が所定の閾値以上であると判別された場合、前記駆動部に、光ディスクを慣性で自由回転させる、
ことを特徴とする請求項１乃至４のいずれか１項に記載の光ディスク再生装置。
【請求項６】
前記記憶部に記憶されているデータの容量が、増加した後、該記憶部の容量に達する前に増加しなくなっているか否かを判別する容量判別部、
を更に備え、
前記駆動制御部は、前記容量判別部により前記記憶部に記憶されているデータの容量が、増加した後、該記憶部の容量に達する前に増加しなくなっていると判別された場合、前記駆動部に、光ディスクを慣性で自由回転させる、
ことを特徴とする請求項１乃至４のいずれか１項に記載の光ディスク再生装置。
【請求項７】
光ディスクを回転させる駆動ステップと、
所定の範囲の回転数で光ディスクに記憶されたデータを読み取る読取ステップと、
光ディスクから読み取られたデータを記憶部に記憶する記憶ステップと、
前記記憶されたデータを出力し、出力されたデータを前記記憶部から削除するデータ制御ステップと、
前記記憶部に記憶されているデータの容量に従って、光ディスクの回転を加速させる状態と、光ディスクを慣性で自由回転させる状態と、を切り替える駆動制御ステップと、
を備えることを特徴とする光ディスク再生方法。
【請求項８】
コンピュータに、
光ディスクを回転させる駆動手順と、
所定の範囲の回転数で光ディスクに記憶されたデータを読み取る読取手順と、
光ディスクから読み取られたデータを記憶部に記憶する記憶手順と、
前記記憶されたデータを出力し、出力されたデータを前記記憶部から削除するデータ制御手順と、
前記記憶部に記憶されているデータの容量に従って、光ディスクを強制的に回転させる状態と、光ディスクを慣性で自由回転させる状態と、を切り替える駆動制御手順と、
を実行させるプログラム。
【発明の詳細な説明】
【技術分野】
【０００１】
本発明は、光ディスク再生装置、光ディスク再生方法及びプログラムに関する。
【背景技術】
【０００２】
光ディスク再生装置の消費電力を削減するため、光ディスクを回転させるスピンドルモータを間欠的に駆動させる技術が提案されている（例えば、特許文献１を参照）。特許文献１に開示されている技術では、スピンドルモータの回転数が第１の回転数に達したことを検出してから、所定の時間経過後に、スピンドルモータのサーボ手段は動作を停止する。その後、光ディスクは慣性で回転し、光ディスクから読み取られたデータはメモリに記憶される。そして、メモリに記憶されたデータが所定量に達する前に、スピンドルモータの回転数が第２の回転数まで低下すると、サーボ手段を再び動作させる。
【先行技術文献】
【特許文献】
【０００３】
【特許文献１】特開２００５−４８９６号公報
【発明の概要】
【発明が解決しようとする課題】
【０００４】
特許文献１に開示されている技術では、スピンドルモータの回転数が所定の回転数に達したことを検出する回転数検出手段が必要であり、その分コストが高くなるという問題があった。
【０００５】
本発明は、上記実情に鑑みてなされたものであり、消費電力を削減しつつ、コストを抑えた光ディスク再生装置等を提供することを目的とする。
【課題を解決するための手段】
【０００６】
上記目的を達成するため、本発明の第１の観点に係る光ディスク再生装置は、
光ディスクを回転させる駆動部と、
所定の範囲の回転数で光ディスクに記憶されたデータを読み取る読取部と、
前記読取部により光ディスクから読み取られたデータを記憶する記憶部と、
前記記憶部に記憶されたデータを出力し、出力されたデータを前記記憶部から削除するデータ制御部と、
前記記憶部に記憶されているデータの容量に従って、前記駆動部に、光ディスクを回転駆動する状態と、光ディスクを慣性で自由回転させる状態と、を切り替える駆動制御部と、
を備えることを特徴とする。
【０００７】
例えば、前記光ディスク再生装置は、
前記記憶部に記憶されているデータが第１の閾値以上であるか否かを判別する第１の判別部、
を更に備え、
前記駆動制御部は、前記第１の判別部により前記記憶部に記憶されているデータが第１の閾値以上であると判別された場合、前記駆動部に、光ディスクを慣性で自由回転させる。
【０００８】
例えば、前記第１の閾値は、前記記憶部の容量である。
【０００９】
例えば、前記光ディスク再生装置は、
前記記憶部に記憶されているデータが、第２の閾値以下であるか否かを判別する第２の判別部、
を更に備え、
前記駆動制御部は、前記第２の判別部により前記記憶部に記憶されているデータが第２の閾値以下であると判別された場合、前記駆動部に、光ディスクを回転駆動させる。
【００１０】
例えば、前記光ディスク再生装置は、
前記駆動部が光ディスクを回転駆動する時間を計時する計時部と、
前記計時部により計時された時間が所定の閾値以上であるか否かを判別する時間判別部と、
を更に備え、
前記駆動制御部は、前記計時部により計時された時間が所定の閾値以上であると判別された場合、前記駆動部に、光ディスクを慣性で自由回転させる。
【００１１】
例えば、前記光ディスク再生装置は、
前記記憶部に記憶されているデータの容量が、増加した後、該記憶部の容量に達する前に増加しなくなっているか否かを判別する容量判別部、
を更に備え、
前記駆動制御部は、前記容量判別部により前記記憶部に記憶されているデータの容量が、増加した後、該記憶部の容量に達する前に増加しなくなっていると判別された場合、前記駆動部に、光ディスクを慣性で自由回転させる。
【００１２】
上記目的を達成するため、本発明の第２の観点に係る光ディスク再生方法は、
光ディスクを回転させる駆動ステップと、
所定の範囲の回転数で光ディスクに記憶されたデータを読み取る読取ステップと、
光ディスクから読み取られたデータを記憶部に記憶する記憶ステップと、
前記記憶されたデータを出力し、出力されたデータを前記記憶部から削除するデータ制御ステップと、
前記記憶部に記憶されているデータの容量に従って、光ディスクの回転を加速させる状態と、光ディスクを慣性で自由回転させる状態と、を切り替える駆動制御ステップと、
を備えることを特徴とする。
【００１３】
上記目的を達成するため、本発明の第３の観点に係るプログラムは、
コンピュータに、
光ディスクを回転させる駆動手順と、
所定の範囲の回転数で光ディスクに記憶されたデータを読み取る読取手順と、
光ディスクから読み取られたデータを記憶部に記憶する記憶手順と、
前記記憶されたデータを出力し、出力されたデータを前記記憶部から削除するデータ制御手順と、
前記記憶部に記憶されているデータの容量に従って、光ディスクを強制的に回転させる状態と、光ディスクを慣性で自由回転させる状態と、を切り替える駆動制御手順と、
を実行させる。
【発明の効果】
【００１４】
本発明によれば、消費電力を削減しつつ、コストを抑えることができる。
【図面の簡単な説明】
【００１５】
【図１】本発明の実施形態に係る光ディスク再生装置の構成を示すブロック図である。
【図２】光ディスク再生装置が実行するモータ強制加速処理を説明するためのフローチャートである。
【図３】（ａ）乃至（ｄ）はそれぞれ、光ディスクの回転数、メモリの蓄積量、ＰＬＬロック信号、キック信号を説明するための図である。
【図４】光ディスク再生装置が実行するショックプルーフ制御処理を説明するためのフローチャートである。
【発明を実施するための形態】
【００１６】
本発明の実施形態に係る光ディスク再生装置１０を、以下図面を参照して説明する。
【００１７】
光ディスク再生装置１０は、光ディスク１１４に記録されたデータを読み出して再生する装置である。光ディスク再生装置１０は、図１に示すように、ピックアップ１０１と、信号生成回路１０２と、復調回路１０３と、ＰＬＬ（Phase Locked Loop）部１０４と、スピンドル制御部１０５と、ショックプルーフ制御部１０６と、メモリ１０７と、ＤＡＣ（Digital to Analog Converter）１０８と、マイコン部１０９と、位相補償回路１１０と、ピックアップ制御部１１１と、モータ駆動アンプ１１２と、から構成される。
【００１８】
ピックアップ１０１は、レーザダイオード、光学系、アクチュエータ、フォトディテクタ等から構成され、レーザを光ディスク１１４に照射して、その反射光を電気信号に変換する。そして、ピックアップ１０１は、変換した電気信号を信号生成回路１０２に供給する。ここで、ピックアップ１０１から供給される電気信号は、後述するマイコン部１０９がスピンドルモータ１１３を制御することにより、転送レートが２倍±３０％〜５０％となっている。
【００１９】
信号生成回路１０２は、ピックアップ１０１から供給された電気信号をデコードし、ＲＦ（Radio Frequency）信号と、ＦＥ（Focusing Error）信号と、ＴＥ（Tracking Error）信号と、を生成する。信号生成回路１０２は、生成したＲＦ信号を復調回路１０３に供給し、ＦＥ信号及びＴＥ信号を位相補償回路１１０に供給する。
【００２０】
復調回路１０３は、信号生成回路１０２から供給されたＲＦ信号をデコードし、デコードしたデジタル信号をＰＬＬ部１０４及びショックプルーフ制御部１０６に供給する。
【００２１】
ＰＬＬ部１０４は、位相比較器、ループフィルタ、ＶＯＣ（Voltage Controlled Oscillator）等から構成され、復調回路１０３から供給されたデジタル信号の周波数に同期したクロック信号を生成する。ＰＬＬ部１０４は、生成したクロック信号をスピンドル制御部１０５に供給する。ここで、ＰＬＬ部１０４は、光ディスク１１４の規格で定まる所謂「１倍速」に対応する回転数（ｒｐｍ）を基準とし、その基準となる回転数の１．５倍から２．５倍の範囲で、ロック信号を生成することができる。このような機能は、一般的にワイドキャプチャ機能と呼ばれる。また、ＰＬＬ部１０４がロック信号を生成できる光ディスク１１４の回転数の範囲は、ロックレンジと呼ばれる。
【００２２】
スピンドル制御部１０５は、ＰＬＬ部１０４からクロック信号が供給されているか否かを判別する。即ち、スピンドル制御部１０５は、ＰＬＬ部１０４に入力されたデジタル信号の位相と、ＰＬＬ部１０４から出力されたクロック信号の位相とがロックされている否かを判別する。
【００２３】
スピンドル制御部１０５は、ＰＬＬ部１０４に入力されたデジタル信号の位相と、ＰＬＬ部１０４から出力されたクロック信号の位相とがロックされていると判別した場合、これらの位相がロックされていることを示すＰＬＬロック信号を生成する。
一方、スピンドル制御部１０５は、ＰＬＬ部１０４に入力されたデジタル信号の位相と、ＰＬＬ部１０４から出力されたクロック信号の位相とがロックされていないと判別した場合、これらの位相がロックされていないことを示すＰＬＬロック信号を生成する。
スピンドル制御部１０５は、このように生成されたＰＬＬロック信号をマイコン部１０９に供給する。
【００２４】
なお、スピンドル制御部１０５は、汎用品であり、ＰＬＬ部１０４から供給されたクロック信号からスピンドルモータの回転速度を制御するモータ制御信号を生成する。そして、スピンドル制御部１０５は、モータ制御信号をモータ駆動アンプに供給することにより、ＣＬＶ方式の光ディスクを再生することができる。しかし、本実施形態では、スピンドル制御部１０５から供給されるモータ制御信号は使用されず、ＰＬＬロック信号のみがマイコン部１０９に供給され使用される。
【００２５】
ショックプルーフ制御部１０６は、マイコン部１０９の制御により、復調回路１０３から供給されたデジタル信号をメモリ１０７に格納する。そして、ショックプルーフ制御部１０６は、メモリ１０７に格納されたデジタル信号を、１倍の転送速度でＤＡＣ１０８に順次供給し、供給したデジタル信号をメモリ１０７から順次削除する。
これにより、光ディスク再生装置１０に振動が付与されて、ピックアップ１０１が光ディスク１１４の現在の読み取り位置から外れた場合でも、メモリ１０７に格納されたデジタル信号の容量（バイト数）が０になるまでの期間、音声等が音飛びせずに再生される。そして、マイコン部１０９は、この期間にピックアップ１０１を元の読み取り位置に復帰させ、音声等を継続して再生させる。このような機能は、一般的にショックプルーフ機能と呼ばれる。
【００２６】
また、ショックプルーフ制御部１０６は、マイコン部１０９の制御により、メモリ１０７を参照して、メモリ１０７に格納されたデジタル信号の容量（以下、蓄積量という。）を取得し、取得した蓄積量をマイコン部１０９に供給する。
【００２７】
メモリ１０７は、復調回路１０３から供給されたデジタル信号を格納する。
ＤＡＣ１０８は、ショックプルーフ制御部１０６から供給されたデジタル信号をアナログ信号に変換し、アンプ等の外部機器へ出力する。
【００２８】
マイコン部１０９は、スピンドル制御部１０５から供給されたＰＬＬロック信号に基づいて、ショックプルーフ制御部１０６を制御することにより、メモリ１０７に格納されたデジタル信号を、１倍の転送速度でＤＡＣ１０８に順次供給させる。
また、マイコン部１０９は、ショックプルーフ制御部１０６から供給されたデジタル信号の蓄積量に基づいて、モータの回転を強制的に加速させるモータ強制加速信号（以下、キック信号という。）をモータ駆動アンプ１１２に供給する。
更に、マイコン部１０９はタイマ１０９ａとしても機能する。
【００２９】
位相補償回路１１０は、信号生成回路２０から供給されたＦＥ信号及びＴＥ信号に位相補償を実施する。続いて、位相補償回路１１０は、位相補償後のＦＥ信号及びＴＥ信号に基づいて、ピックアップ１０１のアクチュエータを制御するアクチュエータ制御信号を生成する。そして、位相補償回路１１０は、生成したアクチュエータ制御信号をピックアップ制御部１１１に供給する。
【００３０】
ピックアップ制御部１１１は、位相補償回路１１０から供給されたアクチュエータ制御信号に基づいてアクチュエータを駆動させることにより、光ディスク１１４に照射するレーザの焦点を適宜調整する。
【００３１】
モータ駆動アンプ１１２は、マイコン部１０９から供給されたキック信号を増幅し、増幅したキック信号をスピンドルモータ１１３に供給する。
スピンドルモータ１１３は、モータ駆動アンプ１１２から供給されたキック信号に従って駆動し、シャフトに接続された光ディスク１１４を回転させる。
【００３２】
次に、本実施形態に係る光ディスク再生装置１０に特有の動作を説明する。
【００３３】
（モータ強制加速処理）
ユーザは、光ディスク１１４を再生したい場合、電源投入後、光ディスク再生装置に光ディスク１１４をセットし、図示しない操作部を操作して光ディスク１１４を再生する旨の指示をする。一方、ユーザは、光ディスク１１４の再生を停止したい場合、操作部を操作して光ディスク１１４の再生を停止する旨の指示をする。
以下、ユーザが、電源投入後、光ディスク再生装置に光ディスク１１４をセットし、操作部を操作して光ディスク１１４を再生する旨の指示をした場合を例にして、光ディスク再生装置１０の動作を説明する。
【００３４】
マイコン部１０９は、ユーザからの再生指示に応答して、図２に示すモータ強制加速処理（回転駆動処理）を開始し、まず、タイマ１０９ａによって計測される時間ｔを０にリセットして、計時を開始させる（ステップＳ１）。そして、マイコン部１０９は、キック信号を、モータ駆動アンプ１１２を介してスピンドルモータ１１３に供給する（ステップＳ２）。
スピンドルモータ１１３は、キック信号に応答して、そのシャフトに接続された光ディスク１１４を回転させる。光ディスク１１４の回転数は、キック信号を与えた時間に比例して大きくなる。
【００３５】
例えば、図３（ｄ）に示すように、時刻ｔ１から時刻ｔ４までの期間に、マイコン部１０９がキック信号をスピンドルモータ１１３に供給した場合、図３（ａ）に示すように、時刻ｔ１から時刻ｔ４において、光ディスク１１４の回転数（ｒｐｍ）が、キック信号を与えた時間に比例して大きくなる。ここで、光ディスク１１４の回転数がロックレンジの下限である１．５倍に達した時刻をｔ２とする。
【００３６】
光ディスク１１４の回転数がロックレンジの下限である１．５倍に達すると、光ディスク１１４からデータが読み込まれ、図３（ｂ）に示すように、時刻ｔ２からメモリ１０７に格納されるデジタル信号の蓄積量が増加する。
一方、ショックプルーフ制御部１０６は、メモリ１０７に記憶されたデジタル信号の蓄積量が所定の閾値を初めて超えたことを契機として、メモリ１０７に記憶されたデジタル信号をＤＡＣ１０８に供給する（以下、音出しという。）。ここで、ショックプルーフ制御部１０６が音出しを開始した時刻をｔ３とする。
【００３７】
これにより、時刻ｔ３直後において、デジタル信号の単位時間当たりの蓄積量の変化量（以下、蓄積速度という。）は、図３（ｂ）に示すように、時刻ｔ１から時刻ｔ３までの期間における蓄積速度に比較して小さく（遅く）なる。
【００３８】
続いて、マイコン部１０９は、デジタル信号の蓄積量がメモリ１０７の容量と同一となったか否か、即ち、デジタル信号の蓄積量が「ＦＵＬＬ」であるか否かを判別する（ステップＳ３）。
【００３９】
マイコン部１０９は、デジタル信号の蓄積量が「ＦＵＬＬ」でないと判別した場合（ステップＳ３；Ｎｏ）、タイマ１０９ａによって計測される時間ｔが所定の閾値Ｔ１以下であるか否かを判別する（ステップＳ４）。
マイコン部１０９は、タイマ１０９ａによって計測される時間ｔが所定の閾値Ｔ１以下であると判別した場合（ステップＳ４；Ｙｅｓ）、ステップＳ２に処理を戻す。
【００４０】
一方、マイコン部１０９は、タイマ１０９ａによって計測される時間ｔが所定の閾値Ｔ１より大きいと判別した場合（ステップＳ４；Ｎｏ）、ステップＳ５に処理を進め、キック信号の供給を停止する。
これにより、メモリ１０７に格納されたデジタル信号の蓄積量が「ＦＵＬＬ」になる前に、光ディスク１４４の回転数がロックレンジの上限である２．５倍を超えた場合であっても、キック信号を供給してから所定の時間Ｔ１経過すれば、キック信号の供給が停止される。このため、スピンドルモータ１１３が焼き付くのを防止することができる。
【００４１】
一方、マイコン部１０９は、デジタル信号の蓄積量が「ＦＵＬＬ」であると判別した場合（ステップＳ３；Ｙｅｓ）、キック信号の供給を停止する（ステップＳ５）。
【００４２】
例えば、図３（ｂ）に示すように、時刻ｔ２以降、デジタル信号の蓄積量が増加し続け、「ＦＵＬＬ」になった時刻をｔ４とする。マイコン部１０９は、デジタル信号の蓄積量が「ＦＵＬＬ」になったことを契機として、時刻ｔ４にキック信号の供給を停止する。
【００４３】
スピンドルモータ１１３へのキック信号の供給が停止されると、しばらくの間、光ディスク１１４は慣性により回転し続ける。しかし、光ディスク１１４の回転は、スピンドルモータ１１３の内部磁石の磁力等により減衰し、やがて停止する。ここで、光ディスク１１４の回転が減衰し、ロックレンジの下限である１．５倍になった時刻をｔ５とし、停止した時刻をｔ６とする。
【００４４】
例えば、図３（ｄ）に示すように、時刻ｔ４以降、キック信号の供給が停止（オフ）されると、図３（ａ）に示すように、時刻ｔ４以降、光ディスク１１４の回転数が徐々に減少し、時刻ｔ５にロックレンジの下限である１．５倍を下回り、時刻ｔ６に０となる。
【００４５】
これにより、時刻ｔ４から時刻ｔ５までの期間において、マイコン部１０９がキック信号をスピンドルモータ１１３に供給しなくても、光ディスク１１４からデータが読み込まれる。このため、この期間において、デジタル信号の蓄積量は、「ＦＵＬＬ」の状態のままとなる。しかし、時刻ｔ５から時刻ｔ６までの期間では、光ディスク１１４の回転数がロックレンジの範囲にないため、光ディスク１１４からデータが読み込まれない。このため、図３（ｂ）に示すように、時刻ｔ５から時刻ｔ６までの期間において、メモリ１０７に格納されたデジタル信号の蓄積量は減少する。
【００４６】
続いて、マイコン部１０９は、メモリ１０７に格納されたデジタル信号の蓄積量が所定の閾値以下であるか否かを判別する（ステップＳ６）。マイコン部１０９は、メモリ１０７に格納されたデジタル信号の蓄積量が所定の閾値より大きいと判別した場合（ステップＳ６；Ｎｏ）、ステップＳ６を繰り返す。
一方、マイコン部１０９は、メモリ１０７に格納されたデジタル信号の蓄積量が所定の閾値以下であると判別した場合（ステップＳ６；Ｙｅｓ）、ユーザから再生を停止する旨の指示があったか否かを判別する（ステップＳ７）。
【００４７】
マイコン部１０９は、ユーザから再生を停止する旨の指示があった場合（ステップＳ５；Ｙｅｓ）、モータ強制加速処理を終了する。
一方、マイコン部１０９は、ユーザから再生を停止する旨の指示がない場合（ステップＳ５；Ｎｏ）、ステップＳ２に処理を戻す。
【００４８】
例えば、図３（ｂ）に示すように、時刻ｔ４以降、デジタル信号の蓄積量が徐々に減少し、所定の閾値になった時刻をｔ７とする。マイコン部１０９は、デジタル信号の蓄積量が所定の閾値となり、且つ、ユーザから再生を停止する旨の指示がないことを契機として、再びキック信号を、モータ駆動アンプ１１２を介してスピンドルモータ１１３に供給する。そして、以後、マイコン部１０９は、ステップＳ１からステップＳ５までの処理を繰り返す。
【００４９】
（ショックプルーフ制御処理）
マイコン部１０９は、スピンドル制御部１０５から供給されたＰＬＬロック信号に応答して、図４に示すショックプルーフ制御処理を開始し、まず、ＰＬＬロック信号がＰＬＬ部１０４に入力されたデジタル信号の位相とＰＬＬ部１０４から出力されたクロック信号の位相とがロックされていることを示すか否かを判別する（ステップＳ１１）。
【００５０】
マイコン部１０９は、ＰＬＬロック信号がＰＬＬ部１０４に入力されたデジタル信号の位相とＰＬＬ部１０４から出力されたクロック信号の位相とがロックされていないことを示す場合（ステップＳ１１；Ｎｏ）、ステップＳ１１を繰り返す。
一方、マイコン部１０９は、ＰＬＬロック信号がＰＬＬ部１０４に入力されたデジタル信号の位相とＰＬＬ部１０４から出力されたクロック信号の位相とがロックされていることを示す場合（ステップＳ１１；Ｙｅｓ）、復調回路１０３から供給されたデジタル信号をメモリ１０７へ記憶する旨の制御信号をショックプルーフ制御部１０６に供給し（ステップＳ１２）、ショックプルーフ制御処理を終了する。
【００５１】
例えば、図３（ｃ）に示すように、時刻ｔ２に、ＰＬＬロック信号が、ＰＬＬ部１０４に入力されたデジタル信号の位相とＰＬＬ部１０４から出力されたクロック信号の位相とがロックされていないことを示すものから、ロックされていることを示すものに変化したとする。この場合、ステップＳ１１でＹｅｓとなり、マイコン部１０９は、ショックプルーフ制御部１０６を制御して、復調回路１０３から供給されたデジタル信号をメモリ１０７へ記憶させる。
【００５２】
これにより、メモリ１０７にデジタル信号が順次記憶される。ショックプルーフ制御部１０６は、メモリ１０７に格納されたデジタル信号の蓄積量が所定の閾値を超えたことを契機として、音出しを開始する。
【００５３】
以上、説明したように、本実施形態によれば、光ディスク１１４は、スピンドルモータ１１３により強制的に回転・加速させられる（回転駆動される）状態と、慣性で回転する状態と、を交互に繰り返す。そして、光ディスクの回転数がロックレンジの範囲にあれば、光ディスク１１４からデータが読み取られ、光ディスク１１４に記憶されたデータが再生される。このため、スピンドルモータを常に回転させておく場合に比較して、光ディスク再生装置１０の消費電力を削減することができる。
【００５４】
また、メモリ１０７に格納されたデジタル信号の蓄積量に従って、キック信号の供給とキック信号の供給停止を切り替える。このため、回転数検出手段が不要であり、その分コストを抑えることができる。
更に、スピンドル制御部１０５が、フィードバックループによりスピンドルモータ１１３を制御するのではなく、マイコン部１０９が、キック信号の供給とキック信号の供給停止を切り替えることにより、スピンドルモータ１１３を制御する。このため、簡単な構成でスピンドルモータ１１３を間欠的に駆動させることができる。
【００５５】
この発明は上記の実施形態に限定されず、種々の変形及び応用が可能である。例えば、上記説明において示したハードウェアの構成及び動作のフローチャートは一例でありこれらに限定されるものではなく、適宜変更及び応用が可能である。
【００５６】
上記実施形態では、スピンドルモータ１１３の焼き付けを防止するため、マイコン部１０９は、キック信号を供給してから所定の時間Ｔ１経過したことを契機として、キック信号の供給を停止する。しかし、キック信号の供給を停止する条件は、これに限定されず、例えば、マイコン部１０９は、メモリ１０７に格納されるデジタル信号の蓄積量が増加した後、「ＦＵＬＬ」になる前に増加しなくなったことを契機として、キック信号の供給を停止してもよい。
【００５７】
上記実施形態では、消費電力を削減するため、メモリ１０７に格納されたデジタル信号の蓄積量が「ＦＵＬＬ」になった場合に、キック信号の供給を停止する。しかし、キック信号の供給を停止する条件は、これに限定されず、例えば、マイコン部１０９は、メモリ１０７に格納されたデジタル信号の蓄積量が所定の閾値以上となったことを契機として、キック信号の供給を停止してもよい。
【００５８】
上記実施形態では、光ディスク再生装置１０は、光ディスクを再生する機能のみを有するが、これに限定されず、例えば、データを記録する機能を有してもよい。
上記実施形態では、ＰＬＬ部１０４のロックレンジは、１．５倍から２．５倍の範囲であるが、ロックレンジの範囲はこれに限定されない。
【００５９】
なお、本発明の光ディスク再生装置１０は、専用の装置を用いる必要はなく、通常のコンピュータにより実現することができる。例えばコンピュータに上記した各処理を実行させるためのプログラム及びデータを記録媒体（ＣＤ−ＲＯＭ等）に記録して配布し、これをインストールしてＯＳ上で実行することにより、本発明の光ディスク再生装置１０を実現できる。また、プログラム及びデータの配布は、ＣＤ−ＲＯＭ等に限らず、通信回線等を介して行われてもよい。
【符号の説明】
【００６０】
１０  光ディスク再生装置
１０１  ピックアップ
１０２  信号生成回路
１０３  復調回路
１０４  ＰＬＬ部
１０５  スピンドル制御部（ＣＬＶ方式）
１０６  ショックプルーフ制御部
１０７  メモリ
１０８  ＤＡＣ
１０９  マイコン部
１１０  位相補償回路
１１１  ピックアップ制御部
１１２  モータ駆動アンプ
１１３  スピンドルモータ
１１４  光ディスク
【図１】
2012064276.tif 000003
【図２】
2012064276.tif 000004
【図３】
2012064276.tif 000005
【図４】
2012064276.tif 000006